(57)【特許請求の範囲】
【請求項１】
両端を左右の手それぞれにて保持するタブ部を有する支持桿と、該支持桿の中央から垂直方向に伸びその先端に撮影素子受部を設けて口腔内に挿入する挿入桿とから成るT字型の歯科用Ｘ線撮影素子保持具を形成し、該歯科用Ｘ線撮影素子保持具の撮影素子受部に撮影素子を手設して口腔内に挿入した際に、撮影素子が口腔内の撮影部位に隣接・接触した点と、前記両タブを左右の手それぞれにて保持した二点とにより撮影素子を少なくとも三点支持にて安定して撮影することを特徴とする歯科用Ｘ線撮影素子保持具。
【請求項２】
前記歯科用Ｘ線撮影素子保持具における三点支持の三点が、撮影素子の口腔内における隣接・接触点を頂点とし、支持桿の両端を左右の手それぞれにて保持する２点で略二等辺三角形の位置関係を形成することを特徴とする請求項１記載の歯科用Ｘ線撮影素子保持具。
【請求項３】
前記歯科用Ｘ線撮影素子保持具を平板にて形成したことを特徴とする請求項１記載の歯科用Ｘ線撮影素子保持具。
【請求項４】
前記歯科用Ｘ線撮影素子保持具をプラスチックにて形成したことを特徴とする請求項１記載の歯科用Ｘ線撮影素子保持具。
【請求項５】
前記歯科用Ｘ線撮影素子保持具に、Ｘ線の主放射線方向を決める照射線入射方向ゲージを設けたことを特徴とする請求項１記載の歯科用Ｘ線撮影素子保持具。
【請求項６】
前記歯科用Ｘ線撮影素子保持具の撮影素子保持部が、撮影素子を、その撮像面を挿入桿の長手方向に直交する方向に向けて挿入し得ると共に撮影素子の断面に近似形状の挿入孔を形成し、更に該挿入孔に連結するスリ割部を延設し、該スリ割部の撓力効果にて撮影素子を挿入孔内にワンタッチ挟持・固定し得る前歯用Ｘ線撮影素子保持具から成ることを特徴とする請求項１記載の歯科用Ｘ線撮影素子保持具。
【請求項７】
前記歯科用Ｘ線撮影素子保持具の撮影素子保持部が、挿入桿先端上面に、撮影素子を、その撮像面を該挿入桿の長手方向に沿った方向に撓力にてワンタッチ挟持・固定し得る保持部を設けた臼歯用Ｘ線撮影素子保持具から成ることを特徴とする請求項１記載の歯科用Ｘ線撮影素子保持具。
【請求項８】
前記臼歯用Ｘ線撮影素子保持具に、Ｘ線の主放線方向を決める照射野ガイドを着脱自在に構成したことを特徴とする請求項１または７記載の歯科用Ｘ線撮影素子保持具。
【請求項９】
前記照射野ガイドが超弾性合金から成ることを特徴とする請求項８記載の歯科用Ｘ線撮影素子保持具。
【発明の詳細な説明】
【技術分野】
【０００１】
本発明は歯科用Ｘ線撮影具に関し、特に口内法撮影におけるＸ線撮影素子保持具に関する。
【背景技術】
【０００２】
従来、口内法撮影における撮影法には、「根尖投影法」「辺縁投影法」「二等分法」の３方法がとられている（文献「歯科用Ｘ線診断学」安藤正一著，医歯薬出版）。その他の撮影法としては、嘔吐反射、過敏症等の原因で、上記撮影法を度外視して診断が行えるように取りあえず撮影するケースの撮影法がある。また、これらの撮影法において、撮影素子（CCD,IP、フィルム）を口腔内の目的の場所に保定する「用指法」と「用器法」がある（文献「歯科用Ｘ線診断学」安藤正一著，医歯薬出版）。
【０００３】
しかし「用指法」では撮影素子を指１本で押さえて保定するために回動やずれが発生しやすく、しばしば撮影のやり直しや、術者が止むを得ず撮影素子を保持しなければならないこともあり、さらに口腔内に指を入れるために衛生上適切でないという問題もあった。また用器法では、例えば文献１および文献2などに示される撮影具があり、これらは保定板部を上下の歯で咬持し、保定部に一定角度で固定した撮影素子で撮影するように構成されている。しかも撮影素子が保定板に一定角度で固定されているために前記「根尖投影法」「辺縁投影法」「二等分法」の３方法のうち何れか一つしか撮影できないという問題があった。
【０００４】
また前記文献１および２の方法で撮影する場合には、左右臼歯用各１個と前歯用１個の3個の撮影具が必要となり経済性および取り扱い上の問題があった。特に前記の嘔吐反射、過敏症等の原因で、撮影法は度外視して診断が行えるように取りあえず撮影するケースの撮影法では任意の保定部位に、任意の角度で保定する必要があるが、文献１および２の方法では任意に保定して撮影することができないという保定の自由度に問題があった。更にある角度で保定板に固定された撮影素子受部では、被撮影者の口腔内の大きさ、即ち口蓋や口底までの高さや深さが男、女、長幼等により個人差が大きく、しばしば撮影が不可能になる場合があり問題になっていた。
【特許文献１】特開２００４−１７４１６２号公報
【特許文献２】特開平１０−３１４１６４号公報
【発明の開示】
【発明が解決しようとする課題】
【０００５】
解決しようとする問題点は、口内法撮影における従来のＸ線撮影素子保持具は、用指法では撮影素子を指で押さえて撮影することにより撮影素子の位置がずれたり口腔内に指を入れるという衛生上の問題があり、また用器法では撮影素子が保持部に一定角度で固定されるために撮影素子の角度に自由度の問題がある。また従来は口腔内の全てを撮影するために多種類の保持具を設備する必要があり設備費や保守の点で経済的な問題があるなど、これらの問題点を解消することを目的とする。
【課題を解決するための手段】
【０００６】
本発明は、上記問題点を解消するために、両端を左右の手それぞれにて保持するタブ部を有する支持桿と、該支持桿の中央から垂直方向に伸びその先端に撮影素子受部を設けて腔内に挿入する挿入桿とから成るT字型かつ平板状の歯科用Ｘ線撮影素子保持具を形成し、前記撮影素子受部に撮影素子を手設して口腔内に挿入した際に、撮影素子が口腔内の撮影部位に隣接・接触した点と、前記両タブを左右の手それぞれにて保持した二点とにより撮影素子を少なくとも三点支持して安定した撮影を可能にすることを特徴とするものである。
【０００７】
そして前記歯科用Ｘ線撮影素子保持具の三点支持は、口腔内における撮影素子の接触点を頂点とし、前記両タブを左右の手それぞれにて保持する二点との位置関係が略二等辺三角形を形成することにより撮影中に撮影素子がずれないように安定させることができるように構成されている。
【０００８】
上記基本的構成の歯科用Ｘ線撮影素子保持具は、挿入桿の先端に、撮影素子を、その撮像面を挿入桿の長手方向に直交する方向に向けて挿入し得る撮影素子の断面に近似形状の挿入孔を形成し、更に該挿入孔に連結してスリ割部を形成し、このスリ割部による撓力効果にて撮影素子を挿入孔内にワンタッチ挟持・固定し得る保持部を設けることにより前歯用Ｘ線撮影素子保持具を形成している。
【０００９】
また前記歯科用Ｘ線撮影素子保持具の挿入桿先端上面に、撮影素子を、その撮像面を挿入桿の長手方向に沿った方向に撓力にてワンタッチ挟持固定し得る保持部を設けることにより臼歯用Ｘ線撮影素子保持具を形成している。
さらに、前記前歯用および臼歯用のＸ線撮影素子保持具には、Ｘ線の主放射線方向を決める照射線入射方向ゲージを設け、また前記臼歯用Ｘ線撮影素子保持具には、照射線入射方向ゲージに加えてＸ線の主放線方向を決めるために超弾性合金からなる照射野ガイドを着脱自在に構成したことを特徴とするものである。
【発明の効果】
【００１０】
本発明の歯科用Ｘ線撮影素子保持具は、両端を左右の手それぞれにて保持する支持桿と口腔内に挿入する挿入桿とでT字型に形成し、挿入桿の先端に撮影素子保持具部を設けてこの撮影素子保持部に撮影素子を固定する構成にしたことにより、撮影素子を口腔内に挿入した際に撮影素子が口腔内の撮影部位に隣接・接触する点と、支持桿を左右の手それぞれにて保持する２点とからなる少なくとも３点にて支持を安定させることができ、撮影素子がずれないようにして撮影することが可能になる。また口腔内では任意の位置や角度にて隣接・接触させ保定することができるので従来の保持具を咬持するタイプに比べて保定が自由かつ容易である。この場合、支持桿を保持した左右の手それぞれの腕を脇腹に軽く当てることにより保持が更に安定する。
【００１１】
また３点支持の３点は、口腔内に挿入した撮影素子の口腔内にて隣接・接触する点を頂点とし、支持桿を左右の手それぞれにて保持する２点とにより略二等辺三角形をなすために術者や被験者は撮影位置を直感的に理解しやすくなり、撮影の一連の操作を容易かつ安定して行うことができる。さらに、挿入桿の先端に設けられた撮影素子保持部は保持部材の撓力にて撮影素子をワンタッチで固定することができるので取り扱いが容易である。
【００１２】
上記構成の歯科用Ｘ線撮影素子保持具は、挿入桿先端の撮影素子保持部に、撮影素子を、挿入桿の長手方向に直交する方向に固定するタイプの前歯用Ｘ線撮影素子保持具と、挿入桿の長手方向に沿った方向に撮影素子を固定するタイプの臼歯用Ｘ線撮影素子保持具の２種類であるが、いずれも撮影素子の撮影部に対向する保定角度が自由で、しかも３点支持にて保定することができるので「根尖投影法」「辺縁投影法」「二等分法」などにおける口腔内の全てを安定して撮影することができる。従って従来の歯科用Ｘ線撮影素子保持具の場合に、口腔内の全てを撮影するために少なくとも3種類以上の保持具を必要としたことに比べて設備や保守の経費を削減することができる。
【００１３】
また前歯用および臼歯用のＸ線撮影素子保持具にはＸ線の主放射線方向を決める照射線入射方向ゲージが設けられているので不慣れであってもＸ線の主放射線方向を容易に決めることができる。また臼歯用Ｘ線撮影素子保持具には照射線入射方向ゲージに加えてＸ線の主放線方向を決める照射野ガイドが着脱自在に設けられているのでＸ線照射筒の位置を容易に決めることができ、使用後は照射野ガイドを取り外してコンパクトに収納することができる。なお照射野ガイドは超弾性合金からなり、曲げても元通りの形状に復元されるので取り扱いが容易である。
【００１４】
さらに、従来の保持具では撮影素子を保持部に固定するために爪やねじ等の突起部を有していたために口腔内壁にこの突起部が当接して口蓋、口底、喉などを刺激することが問題になっていたが、本発明の歯科用Ｘ線撮影素子保持具はこのような突起部が存在しないので問題がなく、嘔吐反射や過敏症の強い被験者でも軽く開口するだけで狭い口腔内に撮影素子を挿入することができるので撮影が容易である。また従来のように撮影素子を指で押さえる必要がないので口腔内に指を挿入するという衛生上の問題も解消することができる。また本発明の歯科用Ｘ線撮影素子保持具はプラスチックにて平板状に形成されているので軽く、取り扱いが容易で、しかも口腔内の挿入および安定した保持が容易であるという利点がある。
【発明を実施するための最良の形態】
【００１５】
本発明は、口腔内に挿入した撮影素子を手指で押さえることなく、かつ口腔内に挿入した撮影素子の角度を任意に調整して撮影素子を安定・保持して口腔内（歯牙や歯周組織など）を撮影するという目的で、支持桿と挿入桿とで歯科用Ｘ線撮影素子保持具をT字型に形成し、支持桿の両端を左右の手で保持し、挿入桿先端に撮影素子を固定して口腔内に挿入し、撮影素子を口腔内の撮影部に隣接・接触させることで、口腔内の接触点と両手それぞれで保持する２点にて略二等辺三角形を形成して保持を安定させことができ、しかも前歯用と臼歯用の２種類の歯科用Ｘ線撮影素子保持具だけで、従来のように多種類の歯科用Ｘ線撮影素子保持具を用いたり、撮影素子を指で押さえたりすることなく口腔内の全てを撮影することができる歯科用Ｘ線撮影素子保持具を実現した。
【実施例１】
【００１６】
図1から図5は本発明の実施例１を示し、図1は前歯用Ｘ線撮影素子保持具の斜視図、図2は撮影素子の斜視図、図3は前歯用Ｘ線撮影素子保持具に撮影素子を取り付けた図、図4は前歯用Ｘ線撮影素子保持具を用いた撮影を示す図、図5は３点支持の説明図である。
【００１７】
本実施例では前歯用Ｘ線撮影素子保持具の例について説明する。図1に示すように前歯用Ｘ線撮影素子保持具1は、プラスチックの平板にてT字型に形成され、T字型の一辺は手で保持する保持桿2であり、その両端に左右の手それぞれにて保持するタブ部3が設けられている。またこの保持桿2の中央から垂直方向に伸びる一辺は口腔内に挿入する挿入桿4であり、その先端に図2に示す撮影素子5を固定する撮影素子受部6が設けられている。なお撮影素子5は図2に示すように長方形板状に形成され、その１面が撮像面7となっていて、一端にケーブル8が電気的に接続されている。
【００１８】
また、前記挿入桿4の先端に設けられた撮影素子受部6には、撮影素子5の撮像面7を挿入桿4の長手方向に直交する方向に向けて挿入し得ると共に撮影素子5の断面に近似形状の挿入孔9が形成され、更にこの挿入孔9に連結してスリ割部10を形成することにより、このスリ割部10の撓力効果にて撮影素子5が図3に示すように挿入孔9内にワンタッチで挟持・固定するように形成されている。
【００１９】
上記構成の前歯用Ｘ線撮影素子保持具1は、撮影素子受部6に撮影素子5を手設して口腔内に挿入した際に、撮影素子5が口腔内の撮影部位に隣接・接触した点と、保持桿2の両タブ3を左右の手それぞれにて保持した二点とにより撮影素子5を少なくとも三点支持にて保定し、安定して撮影することできるように構成されている。そしてこの三点支持は、三点が、撮影素子5の口腔内における隣接・接触点を頂点とし、支持桿2の両端を左右の手それぞれにて保持するする２点とで略二等辺三角形の位置関係であり、保持の安定が容易である。
【００２０】
次に前歯用Ｘ線撮影素子保持具1の作用について説明する。図3に示すように前歯用Ｘ線撮影素子保持具1を使用するに際して、まず挿入桿4先端に設けられた撮影素子保持部6の挿入孔9に対して上方又は下方から撮影素子5を差し込むことにより、すり割り部10の撓力効果によりワンタッチで挟持・固定が可能になる。また、撮影素子5は歯軸に対して長手方向に沿って挟持・固定されるので、撮影素子5が口蓋または口底などに当接するときにこの撮影素子5を短く使用する場合などでは、撮影素子5の挟持・固定位置をずらして使用することが可能である。
【００２１】
撮影素子5を取り付けた前歯用Ｘ線撮影素子保持具1は、保持桿2の両端に設けられたタブ部3を左右の手それぞれ（親指、人差し指、中指）で保持しつつ撮影素子5を口腔内に挿入する。挿入された撮影素子5は保持桿2を前後上下左右に操作することにより例えば上前歯12の撮影位置に移動させ、図4に示すように上前歯12と撮影素子5とのなす角度αが撮影に最も適した角度になるように任意に決定し、その位置で撮影素子5を口腔内壁および、または前歯12のいずれかに当接させる。
【００２２】
これにより図5に示すように、撮影素子5は口腔内における隣接・接触点dと保持桿2のタブ部3を左右の手それぞれにて保持する２点a、bの少なくとも３点にて略二等辺三角形を形成することにより保持が安定する。更にこの状態を保ちつつ両腕それぞれを脇腹に軽く当てることにより保持の安定が容易になる。また挿入桿4の長手方向には図1に示すように照射線入射方向ゲージ13が印されており、図4に示すようにＸ線照射筒14の主放線方向をこのゲージ13の方向に合わせることにより撮影素子5の撮像面7に対してＸ線を垂直に照射することができる。なお、図4は撮影素子5を上方に向けて上前歯12の撮影をする例を示しているが、撮影素子5を下方に向ければ下前歯15を上前歯12と同様に撮影することができる。
【実施例２】
【００２３】
図6から図11は本発明の実施例２を示し、図6は臼歯用Ｘ線撮影素子保持具の斜視図、図7は臼歯用Ｘ線撮影素子保持具に撮影素子を取り付けた図、図8は撮影素子の角度調整を示す図、図9は臼歯用Ｘ線撮影素子保持具を用いた撮影を示す図、図10は撮影素子の撮影部に対する角度を示す図、図11は3点支持の説明図である。
【００２４】
本実施例では臼歯用Ｘ線撮影素子保持具の例について説明する。図6に示すように臼歯用Ｘ線撮影素子保持具21は、前記前歯用Ｘ線撮影素子保持具1と同様に、プラスチックの平板にてT字型に形成され、T字型の一辺が手で保持する保持桿22であり、その両端に左右の手それぞれにて保持するタブ部23が設けられている。この保持桿22の中央から垂直方向に伸びる一辺は口腔内に挿入する挿入桿24であり、その先端に図2に示す撮影素子5を固定する撮影素子受部25が設けられている。
【００２５】
撮影素子保持部25は、挿入桿24の先端上面に設けられ、撮影素子5を、その撮像面7を挿入桿24の長手方向に沿った方向に、撓力にてワンタッチ挟持・固定し得るようにコの字形にてその内幅を撮影素子5の厚さより小さく形成している。なお、この撮影素子保持部25は、図6では挿入桿と一体形成した例を示しているが、撮影素子保持部25を別部品にして挿入桿24の先端に取り付ける構成にしてもよい。
【００２６】
また挿入桿24の先端に形成した切欠26は、図7に示すように撮影素子5を撮影素子保持部25にて挟持し、更に確実に固定するためにゴム輪27にて係止するためのゴム輪係止用の溝である。また、保持桿22の長手方向にＸ線照射筒14の方向を補助的に合わせる照射線入射方向ゲージ30が印されている。更に挿入桿24の基端部における保持桿22の長手方向に、図7に示す照射野ガイド28を着脱自在に取り付けるための照射ガイド取付穴29が設けられている。
【００２７】
次に臼歯用Ｘ線撮影素子保持具21の作用について説明する。図7に示すように臼歯用Ｘ線撮影素子保持具21を使用するに際して、まず挿入桿22先端に設けられたコの字形撮影素子保持部25に対して撮影素子5を差し込むことにより撮影素子5はコの字形の撓力効果によりワンタッチで挟持・固定される。更に必要があれば図7に示すように切欠部26を介してゴム輪27等にて確実に固定してもよい。
【００２８】
撮影素子5を取り付けた臼歯用Ｘ線撮影素子保持具21は、保持桿24の両端に設けられたタブ部23を左右の手それぞれ（親指、人差し指、中指）で保持しつつ撮影素子5を口腔内に挿入する。挿入された撮影素子5は図8に示すように保持桿22を前後上下左右に操作することにより臼歯の撮影位置に移動し、図10に示すように臼歯31と撮影素子とのなす角度αが撮影に最も適した角度になるように任意に調整し、その位置で撮影素子5を口腔内壁および、または臼歯31のいずれか又は同時に当接させる。これにより前記実施例1で述べたと同様に、図11に示すように撮影素子5は口腔内における隣接・接触点dと保持桿24のタブ部23を左右の手それぞれにて保持する2点a、bの少なくとも3点にて略二等辺三角形を形成し、保持が安定する。更にこの状態を保ちつつ両腕それぞれを脇腹に軽く当てることにより保持の安定が容易になる。
【００２９】
次に撮影素子の角度を図10に示す状態に保持しつつ図7に示すようにＸ線照射筒14の方向を保持桿22に印された照射野入射方向ゲージ30に補助的に合わせ、更に照射野ガイド28にＸ線照射筒の先端を合わせて、Ｘ線の主放射線を撮影素子5の撮像面7に対して垂直に照射する。これにより不慣れでも確実な撮影が可能になる。そして臼歯用Ｘ線撮影素子保持具21の使用後は照射野ガイド28を外してコンパクトに収納する。なお本実施例では右側上顎臼歯の撮影を例にして説明したが、撮影素子5の撮像面を本実施例とは反対側に向けて撮影素子保持部25に取り付けることにより右側下顎臼歯の撮影も可能である。即ち撮像面の向きを変えることにより本実施例以外に左右上下全ての臼歯部を撮影することができる。また従来は、臼歯部の「右側上・左下」と「左側上・右下」を撮影するために2種類の保持具が必要であったが、本願発明の臼歯用Ｘ線撮影素子保持具では1種類だけで撮影が可能である。
【００３０】
以上、本発明の歯科用Ｘ線撮影素子保持具1および21は、プラスチックにて平板状に形成しているので軽く取り扱いが容易であり、口腔の大きさに関係なく軽く開口するだけで狭い口腔内に撮影素子を挿入することができる。また従来のように撮影素子5を撮影素子保持部に保持するための爪やねじ等の突起部が、撮影素子5の先端、左右端（撮影素子5のコード引き出し部を下方に向けた場合）に存在しないので口腔内にて突起物が当接するという問題がなく、嘔吐反応、過敏症などの被験者の撮影も可能である。また撮影素子が口腔内で隣接・接触する点と両手で保持する２点とにより略二等辺三角形を形成するので撮影素子を安定・保持して撮影することができ、しかも本発明の歯科用Ｘ線撮影素子保持具は前歯用と臼歯用の２種類だけで口腔内全ての撮影が可能である。
【００３１】
また、撮影素子がCCDの場合、CCDセンサーの後端やコードの引き出し部をクランプして保持するため、CCDの受光面が100％使用できることも本願発明の特徴である。なお、歯科用Ｘ線撮影素子保持具を形成する材料はプラスチックに限らず撮影素子を安定して保持する力があれば金属その他の材料を使用しても良い。
【図面の簡単な説明】
【００３２】
【図１】前歯用Ｘ線撮影素子保持具の斜視図である。（実施例１）
【図２】撮影素子の斜視図である。  （実施例１）
【図３】前歯用Ｘ線撮影素子保持具に撮影素子を取り付けた図である。（実施例１）
【図４】前歯用Ｘ線撮影素子保持具を用いた撮影を示す図である。  （実施例１）
【図５】３点支持の説明図である。（実施例１）
【図６】臼歯用Ｘ線撮影素子保持具の斜視図である。（実施例２）
【図７】臼歯用Ｘ線撮影素子保持具に撮影素子を取り付けた図である。（実施例２）
【図８】撮影素子の角度調整を示す図である。（実施例２）
【図９】臼歯用Ｘ線撮影素子保持具を用いた撮影を示す図である。（実施例２）
【図１０】撮影素子の撮影部に対する角度を示す図である。（実施例２）
【図１１】3点支持の説明図である。（実施例２）
【符号の説明】
【００３３】
1  前歯用Ｘ線撮影素子保持具
2、22  保持桿
3、23  タブ部
4、24  挿入桿
5  撮影素子
6、25  撮影素子受部
7  撮像面
8  ケーブル
9  挿入孔
10  スリ割部
12  上前歯
13、30  照射線入射方向ゲージ
14  Ｘ線照射筒
15  下前歯
21  臼歯用Ｘ線撮影素子保持具
26  切欠
27  ゴム輪
28  照射野ガイド
29  照射野ガイド取付穴
31  臼歯
【図１】
0005046284.tif 000002
【図２】
0005046284.tif 000003
【図３】
0005046284.tif 000004
【図４】
0005046284.tif 000005
【図５】
0005046284.tif 000006
【図６】
0005046284.tif 000007
【図７】
0005046284.tif 000008
【図８】
0005046284.tif 000009
【図９】
0005046284.tif 000010
【図１０】
0005046284.tif 000011
【図１１】
0005046284.tif 000012